(57)【特許請求の範囲】
【請求項１】
ダミーの脇の下を支えダミーの上半身の上部を支持する腕の支持手段１と、ダミーの臀部の後面に差し込まれダミーの臀部及び上半身の下部を支持する臀部の支持手段２と、ダミーの左右膝裏を支え脚部を含む下半身の全般を支持する大腿部の支持手段３と、前記各支持手段により支持されたダミーを移送させるための移送手段５を備えて構成され、前記臀部の支持手段２は、ダミーの臀部の後面の挿入口に差し込まれる臀部の支持台２ａと、前記臀部の支持台２ａを支持するとともに前記腕の支持手段１を上下にスライド可能とするように支持する垂直台２ｂと、前記腕の支持手段１の高さを調節して固定するためのクランプ２ｃと、から構成され、前記大腿部の支持手段３は、ダミーの左右膝裏に当てられる大腿部の支持台３ａと、前記大腿部の支持台３ａを上下にスライド可能とするように支持する垂直台３ｂと、前記大腿部の支持台３ａの高さを調節して固定するためのクランプ３ｃと、から構成され、ダミーの左右幅方向の中心線を通る面に垂直台２ｂ、垂直台３ｂ及びそれを繋ぐ連結台５ｃが一列に連設されて構成されたことを特徴とするダミーの保管及び移送装置。
【請求項２】
前記移送手段５は、前方及び後方の水平台５ｂ、５ａと、前記各支持手段を支持しながら前記前方及び後方の水平台５ｂ、５ａを繋ぐ連結台５ｃと、前記前方及び後方の水平台５ｂ、５ａの下部に設けられた車輪と、から構成されたことを特徴とする請求項１記載のダミーの保管及び移送装置。
【請求項３】
前記垂直台３ｂは、前記連結台５ｃに沿って前後にスライド可能となっており、さらに前記垂直台３ｂの位置を調節して固定するためのクランプ３ｄを含んで構成されたことを特徴とする請求項１記載のダミーの保管及び移送装置。
【請求項４】
前記腕の支持手段１は、ダミーの左右の脇の下に差し込まれてその腕を夫々支持する２つの突出部１ａ、１ｂと、前記突出部を支持する突出部の支持台１ｃとから構成されたことを特徴とする請求項１記載のダミーの保管及び移送装置。
【請求項５】
前記突出部１ａ、１ｂは、前記突出部の支持台１ｃに沿って左右にスライド可能とするようになっており、さらに前記左右突出部１ａ、１ｂの位置を各々調節して固定するためのクランプ１ｄを含んで構成されたことを特徴とする請求項４記載のダミーの保管及び移送装置。
【発明の詳細な説明】
【０００１】
【発明の属する技術分野】
この発明は、車両衝突試験用ダミーを保管及び移送する際に用いる、ダミーの保管及び移送装置に関するものである。
車両衝突試験用ダミーを保管及び移送するダミーの保管及び移送装置は、ダミーの保管時に生じうるダミーの破損及び物理的な変化を予防し、ダミーの運送の便宜を図るために開発されたものである。
【０００２】
【従来の技術】
従来の技術によるダミーの保管及び移送装置は、図３に示すように、ダミーをダミーの安置プレイト１０に着座させ、ダミーの両脇をハンガー２０の上面に掛けた後、前記ハンガー２０を垂直にスライドさせてハンガーの高さを調節した後、クランプ３０を使って前記ハンガー２０の高さを固定するようになっている。
【０００３】
さらに、ダミーの足を四角プレイト４０の上に揃えて乗せ、ダミーの締結ベルト５０を使ってダミーの上半身を固定した状態で、ダミーを移送及び保管するようになっている。
【０００４】
ところが、前記のような従来の技術によるダミーの保管及び移送装置は、ダミーの安置プレイトに着座させたダミーの臀部の下面に加重が集中するようになり、ダミーの臀部の下面に変形が生じやすいという課題があった。
【０００５】
さらに、ダミーの臀部、大腿部、両脚及び足が、保管及び移送装置に接触する構造であるため、ダミー内の計測センサー等に負荷を与えるようになり、ダミーの管理及び保管に好ましくないという課題があった。
【０００６】
また、様々な大きさのダミーに汎用に使えず、ダミーの大きさに従い別々に作製して使わなければならないという課題があった。
【０００７】
【先行技術文献】
【特許文献１】
特開平１０−０４８０８９
【０００８】
【発明が解決しようとする課題】
したがって、本発明の目的は、上記種々の課題を解決するために、ダミーの臀部の下面に加重がかからない形でダミーを保管及び移送でき、ダミーと装置との接触を最小限に抑えた形でダミーを保管及び移送でき、さらに様々な大きさのダミーに汎用に使える、ダミーの保管及び移送装置を提供することにある。
【０００９】
【課題を解決するための手段】
上記のような課題を解決するためになされた本発明によるダミーの保管及び移送装置は、ダミーの脇の下を支えダミーの上半身の上部を支持する腕の支持手段１と、ダミーの臀部の後面に差し込まれダミーの臀部及び上半身の下部を支持する臀部の支持手段２と、ダミーの左右膝裏を支え脚部を含む下半身の全般を支持する大腿部の支持手段３と、前記各支持手段により支持されたダミーを移送させるための移送手段５を備えて構成され、前記臀部の支持手段２は、ダミーの臀部の後面の挿入口に差し込まれる臀部の支持台２ａと、前記臀部の支持台２ａを支持するとともに前記腕の支持手段１を上下にスライド可能とするように支持する垂直台２ｂと、前記腕の支持手段１の高さを調節して固定するためのクランプ２ｃと、から構成され、前記大腿部の支持手段３は、ダミーの左右膝裏に当てられる大腿部の支持台３ａと、前記大腿部の支持台３ａを上下にスライド可能とするように支持する垂直台３ｂと、前記大腿部の支持台３ａの高さを調節して固定するためのクランプ３ｃと、から構成され、ダミーの左右幅方向の中心線を通る面に垂直台２ｂ、垂直台３ｂ及びそれを繋ぐ連結台５ｃが一列に連設されて構成されている。
【００１０】
前記腕の支持手段は、ダミーの左右腕を夫々支持する２つの突出部と、前記突出部を左右にスライド可能とするように支持する突出部の支持台及び、前記突出部の位置を調節して固定するためのクランプとから構成されている。
【００１１】
前記突出部１ａ、１ｂは、前記突出部の支持台１ｃに沿って左右にスライド可能とするようになっており、さらに前記左右突出部１ａ、１ｂの位置を各々調節して固定するためのクランプ１ｄとから構成されている。
【００１２】
前記垂直台３ｂは、前記連結台５ｃに沿って前後にスライド可能となっており、さらに前記垂直台３ｂの位置を調節して固定するためのクランプ３ｄとから構成されている。
【００１３】
また、前記移送手段は、前方及び後方の水平台と、前記各支持手段を支持しながら前記前方及び後方の水平台を繋ぐ連結台と、前記前方及び後方の水平台の下部に設けられる車輪とから構成されている。
【００１４】
【発明の実施の形態】
以下、本発明の一実施例を添付した図１及び図２に従って詳細に説明する。
図１は、この発明によるダミーの保管及び移送装置を示した斜視図であり、図２は、この発明による臀部の支持台及び、この臀部の支持台が挿入されるダミーの臀部の後面を示す図である。
【００１５】
図１及び図２に示すように、この発明によるダミーの保管及び移送装置は、ダミーの脇の下を支えダミーの上半身の上部を支持する腕の支持手段１と、ダミーの臀部の後面に差し込まれダミーの臀部及び上半身の下部を支持する臀部の支持手段２と、左右膝裏を支え脚部を含む下半身の全般を支持する大腿部の支持手段３と、これら各支持部１、２、３により支持されたダミーを移送するための移送手段５を備えて構成される。
【００１６】
腕の支持手段１は、ダミーの左右腕を夫々支持する２つの突出部１ａ、１ｂと、突出部１ａ、１ｂを左右にスライド可能とするように支持する突出部の支持台１ｃと、突出部１ａ、１ｂの位置を調節して突出部の支持台１ｃに固定するためのクランプ１ｄとから構成されている。突出部の支持台１ｃは臀部の支持手段２の垂直台２ｂに沿って上下にスライド可能とするようになっており、必要に応じてダミーの背中が寄りかかる背もたれ４が設けられる。
【００１７】
臀部の支持手段２は、その先端部２ａ′がダミーの臀部の後面に形成された挿入口２ａ″に差し込まれる臀部の支持台２ａと、臀部の支持台２ａを支持するとともに突出部の支持台１ｃを上下にスライド可能とするように支持する垂直台２ｂと、突出部の支持台１ｃの高さを調節して固定するためのクランプ２ｃとから構成されている。
【００１８】
大腿部の支持手段３は、ダミーの左右膝裏を支える大腿部の支持台３ａと、この大腿部の支持台３ａを上下にスライド可能とするように支持するとともに、移送手段５の連結台５ｃに沿って前後にスライド可能とするようになっている垂直台３ｂと、大腿部の支持台３ａの高さを調節して垂直台３ｂに固定するためのクランプ３ｃと、垂直台３ｂの位置を調節して連結台５ｃに固定するためのクランプ３ｄとから構成されている。
【００１９】
一方、移送手段５は前方及び後方の水平台５ａ、５ｂと、臀部の支持部２の垂直台２ｂと大腿部の支持部３の垂直台３ｂを支持しながら前方及び後方の水平台５ａ、５ｂを繋ぐ連結台５ｃと、前方及び後方の水平台５ａ、５ｂの下面に設けられた車輪５ｄと、前記各車輪５ｄの一方に取り付けられたブレーキ５ｅとから構成されている。
【００２０】
このように構成されたダミーの保管及び移送装置を使ってダミーを保管及び移送する時には、先ず、左右突出部１ａ、１ｂをダミーの脇の下に抱え込ませダミーの上半身の上部を支える。この時、ダミーの肩幅を考慮して左右突出部１ａ、１ｂの間の距離を調整した後、左右のクランプ１ｄを使って左右突出部１ａ、１ｂを突出部の支持台１ｃに固定する。
【００２１】
次に、臀部の支持台２ａの先端部２ａ′をダミーの臀部の後面に形成された挿入口２ａ″に差し込み、ダミーの臀部及び上半身の下部を支持する。この時、ダミーの上半身の上部から臀部までの高さを考慮し、突出部の支持台１ｃを上下にスライドさせ、臀部の支持台２ａと前記突出部１ａ、１ｂの間の高さを調整した後、クランプ２ｃを使って突出部の支持台１ｃを垂直台２ｂに固定する。
【００２２】
次に、大腿部の支持台３ａに左右の膝を掛けるようにする。この時、大腿部の支持台３ａの高さを調節した後、クランプ３ｃを使って大腿部の支持台３ａを垂直台３ｂに固定することにより、大腿部の支持台３ａにかけられた膝裏及び足に荷重が過剰にかからないようにする。
【００２３】
さらに、ダミーの臀部から掛けられた膝までの距離を考慮し、垂直台２ｂと大腿部の支持台３ａとの間の距離を、垂直台３ｂを動かしながら調節した後、クランプ３ｄを使って垂直台３ｂを連結台５ｃに固定する。
【００２４】
【発明の効果】
上記で説明したようにこの発明によると、下記のような改善されたダミーの保管及び移送装置を提供できる。
ダミーの臀部の下面に荷重がかからない形態でダミーを保管できるので、ダミーの臀部の下面に変形が生じにくい。また、ダミーと装置との接触が最小限に抑えられるので、ダミー内の計測センサー等に負荷を与えない。これらはダミーの管理及び保管上大変好ましい。しかも様々な大きさのダミーに汎用に使えるので、ダミーの大きさに従い別々に作製する手間が省ける。
【図面の簡単な説明】
【図１】この発明によるダミーの保管及び移送装置を示した斜視図である。
【図２】この発明による臀部の支持台及びこの臀部の支持台が挿入されるダミーの臀部の後面を示した図である。
【図３】従来の技術によるダミーの保管及び移送装置を示した斜視図である。
【符号の説明】
１      腕の支持手段
１ａ    右の突出部
１ｂ    左の突出部
１ｃ    突出部の支持台
１ｄ    クランプ
２      臀部の支持手段
２ａ    臀部の支持台
２ａ′  臀部の支持台の先端部
２ａ″  ダミーの臀部の後面に形成された挿入口
２ｂ    垂直台
２ｃ    クランプ
３      大腿部の支持手段
３ａ    大腿部の支持台
３ｂ    垂直台
３ｃ    クランプ
３ｄ    クランプ
４      背もたれ
５      移送手段
５ａ    後方の水平台
５ｂ    前方の水平台
５ｃ    連結台
５ｄ    車輪
５ｅ    ブレーキ
１０    安置プレイト
２０    ハンガー
３０    クランプ
４０    四角プレイト
５０    締結ベルト
【図１】
0003764935.tif 000002
【図２】
0003764935.tif 000003
【図３】
0003764935.tif 000004